(57)【要約】【課題】ドアユニットの内面に滞留する石鹸粒、石鹸カスのような汚損要素を洗濯運転毎に除去し、ドアユニットの清潔感、美観を維持することができるとともに、ドアユニットの外部からの透視機能が低下しない洗濯機となるようにする。【解決手段】本体に弾性支持された水受け槽と、前記水受け槽内に傾斜若しくは水平な回転軸に軸支された回転ドラムと、前記回転ドラムへ洗濯物を出し入れするためのガラス封止体を有するドアユニットと、前記水受け槽と前記ドアユニットのガラス封止体との間の水密性を保つドアパッキンと、前記水受け槽に固定され、前記ドアユニットのガラス封止体とドアパッキンが密接する入隅部に向けて洗浄水を放射するシャワーノズルとを備える洗濯機となるようにする。【選択図】図３
2015205088.tif 000002
【特許請求の範囲】
【請求項１】
本体に弾性支持された水受け槽と、
前記水受け槽内に傾斜若しくは水平な回転軸に軸支された回転ドラムと、
前記回転ドラムへ洗濯物を出し入れするためのガラス封止体を有するドアユニットと、
前記水受け槽と前記ドアユニットのガラス封止体との間の水密性を保つドアパッキンと、
前記水受け槽に固定され、前記ドアユニットのガラス封止体とドアパッキンが密接する入隅部に向けて洗浄水を放射するシャワーノズルと、
を備えたことを特徴とする洗濯機。
【請求項２】
前記シャワーノズルは、進入した洗浄水の案内溝が形成されており、該案内溝の開放端が前記入隅部へ向けて前記洗浄水を膜状に放射するための吐水口となるようにしたことを特徴とする請求項１に記載の洗濯機。
【請求項３】
前記案内溝は、基端から吐水口に向けて横幅が徐々に大きくなるようにしたことを特徴とする請求項２に記載の洗濯機。
【請求項４】
前記案内溝は、基端から吐水口に向けて縦幅が徐々に大きくなるようにしたことを特徴とする請求項２に記載の洗濯機。
【請求項５】
前記シャワーノズルは、水受け槽の開口フランジの裏面に固定されていることを特徴とする請求項１乃至請求項４の何れかに記載の洗濯機。
【発明の詳細な説明】
【技術分野】
【０００１】
本発明は、ドアユニットを洗浄するシャワーノズルを備えた洗濯機に関する。
【背景技術】
【０００２】
一般家庭あるいはコインランドリーなどに設置される洗濯機は、洗濯物の出し入れのためのドアユニットを配設するようにしている。そしてこのドアユニットは内部の洗濯物の状態が視認できるようにするためにガラス素材を成形したものが多く採用されている。
【０００３】
このようなドアユニットを配設した洗濯機において、回転ドラム内への注水が一カ所に集中することなく、回転ドラムの手前から奥まで、まんべんなく注水できるようにしたシャワーノズルを備えた洗濯機を本願出願人が提案している（特許文献１参照）。
【先行技術文献】
【特許文献】
【０００４】
【特許文献１】特許第５３２０１１３号公報
【発明の概要】
【発明が解決しようとする課題】
【０００５】
上記特許文献１に開示された技術は、異なる角度で形成された案内面を備える案内板を備えるものである。この案内面から噴出した洗浄水はガラス部材の肩部に当たって扇状に広がり拡散されて回転ドラム内に噴射される。これにより回転ドラムの手前から奥まで、まんべんなく注水でき排水性能、すすぎ性能などを向上することができる。このように上記特許文献１に開示されたシャワーノズルの採用は、回転ドラム内への注水により洗濯機能の向上を意図するものであるが、洗濯槽内の洗浄を目指すものではない。
【０００６】
ところで、洗濯機においては洗濯槽内の衛生管理が大きな課題となっている。このような課題に対応するために、例えば、回転ドラムの背面に発生する黒カビを除去する専用の洗剤の使用が提案されている。一方、洗濯槽内では洗剤による石鹸カスの発生も問題の一つとなっている。これは、洗剤の溶解性が低下すると未溶解の石鹸粒が残存し、あるいは水道水に含まれているカルシウムやマグネシウムなどの金属イオンと石鹸成分が化学的に結合して不活性で洗浄作用のない金属石鹸と呼ばれる石鹸カスとなる。
【０００７】
このような石鹸粒、石鹸カスの発生は、軟水であるか硬水であるかの水質、あるいは季節により異なる水温で発生の程度は異なるものの、すすぎ、脱水を繰り返して洗濯物への付着を低減することができる。しかしながら、洗濯槽内のすすぎ水の届かない狭隘な入隅部にはその滞留が進み、衛生上の問題の発生要因となるとともに美観を低下することになる。特にドアユニットのガラス封止体の取付部は、水密性を保つためのドアパッキンと密接して狭隘であるためにすすぎ水が届くことなく、石鹸粒、石鹸カスの滞留が促進される部分となる。
【０００８】
このようにドアユニットのガラス封止体の特に頂部はすすぎ水が届かず、しかも洗濯物が接触して表面が拭われるようなことがないことから、石鹸粒、石鹸カスの滞留の程度が大きくなって汚損層が形成され、洗濯槽内部の透視の妨げとなる。このような状態になると清潔感が低下し、洗濯運転毎に清掃をするという煩雑な作業を強いられることになる。しかしながら、一般家庭ではともかく、コインランドリーのように不特定の利用者に清掃作業を期待することはできず、衛生状態が低下する問題があった。
【０００９】
本発明はこのような従来の問題を解決するためになされたもので、ドアユニットの内面に滞留する石鹸粒、石鹸カスのような汚損要素を洗濯運転毎にシャワー洗浄により除去するようにしたものである。これによりドアユニットの清潔感、美観を維持することができるとともに、ドアユニットからの洗濯槽内の透視機能が低下しない洗濯機となるようにすることを目的とするものである。
【課題を解決するための手段】
【００１０】
本発明は、
本体に弾性支持された水受け槽と、
前記水受け槽内に傾斜若しくは水平な回転軸に軸支された回転ドラムと、
前記回転ドラムへ洗濯物を出し入れするためのガラス封止体を有するドアユニットと、
前記水受け槽と前記ドアユニットのガラス封止体との間の水密性を保つドアパッキンと、
前記水受け槽に固定され、前記ドアユニットのガラス封止体とドアパッキンが密接する入隅部に向けて洗浄水を放射するシャワーノズルと、
を備えた洗濯機である。
【００１１】
本発明は、
前記シャワーノズルは、進入した洗浄水の案内溝が形成されており、該案内溝の開放端が前記入隅部へ向けて前記洗浄水を膜状に放射するための吐水口となるようにする。
【００１２】
本発明は、
前記案内溝は、基端から吐水口に向けて横幅が徐々に大きくなることを特徴とする。
【００１３】
本発明は、
前記案内溝は、基端から吐水口に向けて縦幅が徐々に大きくなることを特徴とする。
【００１４】
本発明は、
前記シャワーノズルは、水受け槽の開口フランジの裏面に固定されていることを特徴とする。
【発明の効果】
【００１５】
本発明によれば、洗浄水を膜状に放射するシャワーノズルを備え、ドアユニットとドアパッキンが密接する入隅部に向けて洗浄水を放射するようにしたので、ドアユニットのガラス封止体に滞留する石鹸粒、石鹸カスのような汚損要素を洗濯運転毎にシャワー洗浄により除去することができる。これによりドアユニットの清潔感、美観を維持することができるとともに、ドアユニットの外部からの透視機能が低下しないようにすることができる。
【００１６】
そして、噴射された洗浄水はドアユニットのガラス封止体の頂部を強力に洗浄した後、ガラス封止体の全面を洗浄しつつ底部へ流下する。この洗浄水は水受け槽へ流下するので、石鹸粒、石鹸カスを含む洗浄水で洗濯槽内が汚されることがない。
【００１７】
また本発明によれば、前記シャワーノズルに進入した洗浄水を放射するため、先端に向けて横幅および縦幅が徐々に大きくなる案内溝を形成したので、洗浄水を膜状で放射することができる。このように洗浄水の膜状の放射は、１本の水柱による局所的な噴射とは異なり、地域あるいは設備環境で水圧に大きな変化がある場合でも、ドアユニット全体の洗浄が可能となる。
【００１８】
また本発明によれば、案内溝は、基端から吐水口に向けて横幅が徐々に大きくなるように形成されるので、洗浄水を膜状で放射することができる。これによってドアユニット全体の洗浄が可能となる。
【００１９】
また本発明によれば、シャワーノズルを水受け槽の開口フランジの裏面に固定し、洗浄水を膜状、且つ、斜めに放射させるようにしたので、洗濯槽が洗濯物や洗濯水の重量で沈みあるいは角度が変化した場合であっても、ドアユニット全体の洗浄が可能である。
【００２０】
また本発明によれば、シャワーノズルを水受け槽の開口フランジの裏面に固定し、洗浄水を膜状、且つ、斜めに放射させるようにしたので、ドアユニットの形状に規制されることなくドアユニット全体の洗浄が可能となる。
【図面の簡単な説明】
【００２１】
【図１】本発明を実施する洗濯機の外観を示す斜視図である。
【図２】本発明を実施する洗濯機の内部構造の概要を示す説明図である。
【図３】本発明を実施した洗濯機の要部の構成を示す断面図である。
【図４】本発明の実施状態を説明する図である。
【図５】本発明のシャワーノズルの構成を説明する斜視図である。
【図６】本発明のシャワーノズルの構成を説明する斜視図である。
【図７】本発明のシャワーノズルの構成を説明する断面図である。
【図８】本発明のシャワーノズルの構成を説明する断面斜視図である。
【図９】本発明を実施した洗濯機の運転工程を説明するフローチャート図である。
【発明を実施するための形態】
【００２２】
以下、本発明の実施の形態について図面を参照して説明する。図１は、本発明の実施の対象とする傾斜ドラム型の洗濯機１の外観を示す図であり、その内部構造の概要を図２に示す。図１に示すように洗濯機１の本体２の前面には洗濯物を出し入れするための円形のドアユニット３が配設され、その上部に運転メニューの選択などためのコントロールパネル４を有する。
【００２３】
洗濯機１の内部には図２に示すように、洗濯槽５を傾斜状態で配置している。この洗濯槽５は、本体２に弾性部材８により複数箇所を弾性支持された水受け槽６、およびこの水受け槽６の内部で回転する回転ドラム７からなる。この回転ドラム７には複数の通孔７ａを形成しており、水受け槽６の背面に配設したドラムモーター９により回転され、洗濯物の洗濯撹拌および遠心脱水が可能となるようにしている。
【００２４】
洗濯槽５の下方には、ポンプ１０に連なる排水ホース１１が引き回され、この排水ホース１１を架台１２の係止部１２ａに固定し、先端を洗濯槽５に接続している。また、洗濯槽５の上部には水栓１３から導かれた水道水の供給を制御する給水バルブ１４を配置している。この給水バルブ１４には、前記水道水が洗濯槽５内で洗濯水となるように供給する給水ホース１５と、後述するシャワー用の洗浄水となるように供給する給水ホース１６とを接続している。
【００２５】
前記ドアユニット３は図３に示すように、ガラス封止体３０を主体にして構成している。このガラス封止体３０は、筒部３０ａ、段部３０ｂ、肩部３０ｃ、底部３０ｄの各部位が連続して一体に成形したものである。前記筒部３０ａの開放端の全周は、ヒンジにより本体２に固定した枠体３１に固定している。
【００２６】
したがって、ドアユニット３による本体２の開口の開閉が可能となる。これにより、ドアユニット３を閉じると、筒部３０ａが水受け槽６の開口フランジ６ａに取り付けたドアパッキン１７に密接して水密性が保たれ、底部３０ｄが回転ドラム７のフランジ７ｂ内に臨むことになる。なお、ガラス封止体３０の前面開口部には透明保護板３２を配設しており、ガラス封止体３０の保護と塵埃などの侵入を防ぐようにしている。
【００２７】
つぎに、本発明のシャワーノズル２０の構成ついて以下に説明する。シャワーノズル２０は図３、図４に示すように、水受け槽６の開口フランジ６ａの裏面に取り付けるようにしたものである。図５、図６は、シャワーノズル２０の組立状態を示すもので、水路構成体２１のネジ受けボス２１ａ  に案内板２２をネジ２５により止着して図７および図８に示すように一体化している。
【００２８】
前記水路構成体２１には洗浄水の導水路２１ａを形成しており、この導水路２１ａの開口部２１ａ−１と水受け槽６に形成した通孔６ｂとの間にパッキン２３を介装する。更に前記に給水ホース１６の端部を接続して洗浄水の供給が可能となるようにしている。なお、前記水路構成体２１と案内板２２は同時に一体成形するようにしてもよい。
【００２９】
前記案内板２２にはその先端に向けて拡開する下り勾配の案内溝２２ａを形成しており、この案内板２２を水路構成体２１に固定したとき、この水路構成体２１の導水路２１ａの開口端が前記案内溝２２ａの奥部中央に位置するように構成している。また、水路構成体２１の下端には前記案内溝２２ａの開放端と等長のリブ２１ｂを形成しており、このリブ２１ｂと案内溝２２ａとの開放端により吐出口２４を形成する。
【００３０】
したがって、図７、図８の矢印で示すように、導水路２１ａから圧送された洗浄水は案内溝２２ａで拡散して扇状に広がった膜状のシャワーＳＷとなり、図３に示すようにガラス封止体３０の筒部３０ａに向けて放射することになる。放射されたシャワーＳＷはガラス封止体３０に付着した石鹸粒、石鹸カスなどを強力に洗い落とす。そして、ガラス封止体３０の頂部から流下した洗浄水がガラス封止体３０の全体を洗浄して水受け槽６に回収される。
【００３１】
以上のようにして洗浄水が扇状に広がった膜状となって斜め下方に放射するので、回転ドラム７に洗濯物を投入し、その重量により水受け槽６が降下した場合においても、シャワーＳＷの放射範囲は大きく変わることがない。したがって、水受け槽６がどのような位置にあってもシャワーＳＷはガラス封止体３０の筒部３０ａ、段部３０ｂに向けて確実に放射されることになる。
【００３２】
また、このようにシャワーＳＷが放射されることから、洗浄範囲がガラス封止体３０の形状で異なる場合においても何ら設計変更をせずに洗浄機能を得ることができる。
【００３３】
つぎに、図９に示すフローチャートに基づいて本発明の洗濯機１の運転工程の一例を以下に説明する。
【００３４】
洗濯機１の利用者のコントロールパネル４の操作により運転スタートが指示されると、シャワーノズル２０からシャワーＳＷがガラス封止体３０に向けて噴射し、初期シャワー洗浄工程が開始する（ステップＳ１）。これにより前回運転時の石鹸粒、石鹸カスなどが残存している場合は、この初期洗浄により洗い落とされる。
【００３５】
このようにして初期洗浄が完了すると、洗濯槽５に投入されている洗濯物の洗い工程に移行する（ステップＳ２）。この洗い工程では給水バルブ１４が制御され、水栓１３から洗濯水となる水道水を給水ホース１５を経て洗濯槽５内に供給する。所定量の洗濯水が洗濯槽５内に貯留されると、ドラムモーター９が駆動を開始し、回転ドラム７が右回転および左回転へ交互に反転して洗濯撹拌が行われる。
【００３６】
このようにして所定時間の洗濯撹拌が終了すると、脱水工程が開始される（ステップＳ３）。この脱水工程では回転ドラム７をドラムモーター９により一方向に高速回転し、洗濯槽５内の洗濯物に含まれている洗濯水を遠心脱水して排出する。この脱水工程が終了すると、回転ドラム７の回転が停止し、給水バルブ１４が制御されて水栓１３から水道水が洗濯槽５内に供給されすすぎ洗い工程を開始する（ステップＳ４）。
【００３７】
前記すすぎ洗い工程により、すすぎ洗いが完了すると、ポンプ１０が駆動して排水ホース１１から洗濯槽５内の残り水が排水される。このようにして排水が完了すると、シャワーノズル２０からシャワーＳＷをガラス封止体３０に向けて放射して仕上げシャワー洗浄工程を開始し（ステップＳ５）、ガラス封止体３０の洗浄を完了する。そして再びドラムモーター９の駆動を開始し、回転ドラム７の一方向への高速回転により再び脱水工程が開始され（ステップＳ６）、洗濯槽５内の洗濯物の遠心脱水を行い、一連の工程を終了する。
【００３８】
このように本発明の洗濯機１によれば、ドアユニット３のガラス封止体３０に集中した洗浄が可能となるので、洗濯運転毎に石鹸粒、石鹸カスを確実に除去することができ、特別な清掃作業を必要とすることなく、ドアユニット３の清潔感、美観を維持することができ、ドアユニットからの洗濯槽５内の透視機能が低下することのない洗濯機とすることができる。また、洗浄水の放射が膜状であることにより、ガラス封止体に対するシャワーノズルの相対位置が変化してもドアユニット全体の洗浄が可能となることから、設計変更することなく大きさの異なる洗濯機への対応が可能となる。
【符号の説明】
【００３９】
１・・・・・・洗濯機
２・・・・・・本体
２０・・・・・シャワーノズル
３・・・・・・ドアユニット
３０・・・・・ガラス封止体
４・・・・・・コントロールパネル
５・・・・・・洗濯槽
６・・・・・・水受け槽
７・・・・・・回転ドラム
８・・・・・・弾性部材
９・・・・・・ドラムモーター
１０・・・・・循環ポンプ
１１・・・・・ホース
１２・・・・・架台
１３・・・・・水栓
１４・・・・・給水バルブ
１５・・・・・給水ホース
１６・・・・・給水ホース
１７・・・・・ドアパッキン
【図１】
2015205088.tif 000003
【図２】
2015205088.tif 000004
【図３】
2015205088.tif 000005
【図４】
2015205088.tif 000006
【図５】
2015205088.tif 000007
【図６】
2015205088.tif 000008
【図７】
2015205088.tif 000009
【図８】
2015205088.tif 000010
【図９】
2015205088.tif 000011